(57)【要約】【課題】  手首における脈拍数測定において、光センサを用いて脈波信号を検出する場合、被験者が運動した場合などセンサがずれてしまうことが考えられる。センサが位置ずれを起こした場合でも測定できるよう様々な手法が挙げられているが、動脈中のヘモグロビン量を観察しているという原理上、位置ずれした場合には測定は困難である。【解決手段】  被験者の手首における脈波を検出し脈拍数を測定する脈拍数測定装置において、被験者の皮膚上に薄膜を配置し、脈拍による薄膜の変位を発光素子と受光素子からなる光センサによって検出することで、この変位は脈拍と同期するものであるため、脈拍数を測定することができる。更にこのとき、ゲル素材を用いることで薄膜が手首の表面外形に沿って変形するため脈拍による変位をより大きくすることができ、信頼性の高い測定が可能となる。  【選択図】      図１
2007075482.tif 000002
【特許請求の範囲】
【請求項１】
被験者の手首における脈波を検出し脈拍数を測定する脈拍数測定装置であって、前記被験者の皮膚上に配置した薄膜と、該薄膜に光を出射する発光素子と該発光素子から出射された光の前記薄膜における反射光を検出する受光素子からなる光センサとを備え、前記被験者の脈拍により前記薄膜が変位することによって生じる前記反射光の強度変化を前記受光素子により検知し、前記強度変化の周期より脈拍数を測定する脈拍数測定装置。
【請求項２】
前記薄膜、前記光センサをバンドにより被験者の手首周りに配置することを特徴とする請求項１に記載の脈拍数測定装置。
【請求項３】
前記薄膜と前記光センサとの間に光を透過するゲル素材を配置し、該ゲル素材および前記薄膜は前記手首の表面形状に沿って変形することを特徴とする請求項１または請求項２に記載の脈拍数測定装置。
【請求項４】
前記薄膜は光が透過しない薄膜であることを特徴とする請求項１から請求項３のいずれか一項に記載の脈拍数測定装置。
【請求項５】
前記薄膜はアルミ箔、銅箔またはその他の金属薄膜であることを特徴とする請求項１から請求項４のいずれか一項に記載の脈拍数測定装置。
【請求項６】
前記薄膜は膜表面に反射層を有することを特徴とする請求項１から請求項５のいずれか一項に記載の脈拍数測定装置。
【請求項７】
被験者の手首における脈波を検出し脈拍数を測定する脈拍数測定装置であって、前記被験者の皮膚上に配置した導電体薄膜と圧電体薄膜からなる薄型圧力センサと、該薄型圧力センサに光を出射する発光素子と該発光素子から出射された光の前記薄型圧力センサにおける反射光を検出する受光素子からなる光センサとを備え、前記被験者の脈拍により前記薄型圧力センサが変位することによって生じる前記反射光の強度変化の信号と、前記薄型圧力センサにより検知された前記被験者の脈拍による圧脈波信号とを比較して、脈拍数を測定する脈拍数測定装置。
【請求項８】
前記薄型圧力センサ、前記光センサをバンドにより被験者の手首周りに配置することを特徴とする請求項７に記載の脈拍数測定装置。
【請求項９】
前記薄型圧力センサと前記光センサとの間に光を透過するゲル素材を配置し、該ゲル素材および前記薄型圧力センサは前記手首の表面形状に沿って変形することを特徴とする請求項７または請求項８に記載の脈拍数測定装置。
【請求項１０】
前記薄型圧力センサは前記圧電体薄膜からなる圧電体薄膜層の両面に前記導電体薄膜からなる電極を有することを特徴とする請求項７から請求項９のいずれか一項に記載の脈拍数測定装置。
【請求項１１】
前記圧電体薄膜は窒化アルミニウム、チタン酸バリウム、チタン酸ジルコン酸鉛、またはポリフッ化ビニリデン系重合体からなることを特徴とする請求項７から請求項１０のいずれか一項に記載の脈拍数測定装置。
【請求項１２】
前記光センサは前記受光素子を複数個有することを特徴とする請求項１から請求項１１のいずれか一項に記載の脈拍数測定装置。
【発明の詳細な説明】
【技術分野】
【０００１】
本発明は被験者の脈拍数を測定する脈拍数測定装置に関し、発光素子と受光素子を用いて被験者が非安静状態にあっても脈拍数の測定が可能な技術に関するものである。
【背景技術】
【０００２】
近年、高血圧、糖尿病、心臓病、高脂血症、脳卒中などに代表される生活習慣病の増加が大きな社会問題となっており、このような生活習慣病の予防、対処療法として効果の高いものの１つとして運動療法が挙げられる。運動療法としては、スポーツジムでのトレーニングから手軽にできるウォーキングやジョギングなど幅広いものが挙げられ、例えば、ウォーキングなどは歩数計や運動カロリー計などを用いて運動量の目安とする事によって更に効果を上げる事ができる。また、最近では、運動時における脈拍数をリアルタイムで計測することで、運動者の心臓への負担度を推測する方法も有効であるとされている。
【０００３】
一般に脈拍を検出する方法としては、発光素子と受光素子からなる光センサを用いる方法が広く知られている。具体的には、光センサを例えば手首、耳または指先などの脈拍測定部位に取り付けると、発光素子からの光が被検体内に侵入し、その一部が反射され反射光を受光素子により検出する。このとき、ある波長の光においては血液中のヘモグロビンが光を吸収し易いため、ヘモグロビンの量が多いほど光が吸収される。すなわち、ヘモグロビンの量が多いほど反射光が減少するため受光素子で検出する信号は小さくなる。ここで、脈をうつことにより血流量が変化する、すなわちヘモグロビンの量が変化するため、光の反射率も脈に同期して変化し、受光素子における受光量の変化より脈拍を検出することができる。
【０００４】
この方法においては、原理上、センサが被検体の動脈に近い位置にある場合は検出信号も大きく、信頼性も高いものとなるが、センサが動脈から離れてしまうとそれだけ検出信号も小さくなり信頼性は下がってしまう、もしくは、信号が検出できず測定不可になってしまう。しかし、測定に際して被検体の血管の位置を探してセンサを配置することは困難であり、また、運動などを行った場合、センサの位置が初めの位置からずれてしまう可能性は容易に推測できる。
【０００５】
そこで、この問題を解決するために様々な方法が用いられている。例えば、特許文献１によれば、一対の発光素子と受光素子からなるセンサを複数個配置し、最も振幅の大きいセンサの信号を用いることで正確に脈拍数を算出することができるとしている。また、特許文献２においては１個の発光素子の周囲に複数個の受光素子を配置し、センサの位置がずれた場合でも脈派を検出できるとしている。また、特許文献３においてはセンサケースの外形を手首にフィットする形とすることで、発光素子と受光素子を手首の動脈に沿って配置することが可能としている。
【０００６】
【特許文献１】特開平７−２９９０４３号公報（図１）
【特許文献２】特開２００２−３６０５３０号公報（図１）
【特許文献３】特開２００４−２７５３０７号公報（図１）
【発明の開示】
【発明が解決しようとする課題】
【０００７】
しかし、上記の方法は以下に示す問題を有している。複数個のセンサを用いた場合、位置ずれなどが発生した場合でも脈拍数の測定はある程度可能ではあるが、当然、複数個の発光素子を発光させる必要があり、そのため駆動には大きな消費電力が必要となる。脈拍計は例えば腕時計型などの携帯型として用いることが多く、消費電力は低減させる必要があり、複数個のセンサを用いることは困難といえる。また、センサの数だけ大型化してしまい、その点からも実用は難しい。また、１個の発光素子の周囲に複数個の受光素子を配置し、センサの位置がずれた場合にも対応する方法に関しては、一対の発光素子と受光素子の場合と比較すると広い範囲で脈派の検出が可能であると考えられるが、発光素子からの光が動脈からずれてしまうと検出信号もそれだけ小さくなってしまい、信頼性が低下する。また、センサケースの外形を手首にフィットする形とし、発光素子と受光素子を手首の動脈に沿って配置する方法に関しては、被験者が安静時には測定可能であると考えられるが、例えば、運動時などはその位置が大きくずれてしまう事は容易に推測される。また、大きなずれが生じないように手首にきつく取り付けた場合は、血管が圧迫されてしまうため長時間の使用はできない。
【０００８】
そこで、本発明では上述した従来技術による問題点を解消するため、発光素子と受光素子を用いた場合に、低消費電力かつ装置がずれた場合にも正確に脈拍を測定することが可能な脈拍数測定装置を提供する事を目的とする。
【課題を解決するための手段】
【０００９】
これらの課題を解決するために本発明による脈拍数測定装置は、下記に記載の手段を採用する。すなわち本発明の脈拍数測定装置は、被験者の手首における脈波を検出し脈拍数を測定する脈拍数測定装置において、被験者の皮膚上に配置した薄膜と、薄膜に光を出射する発光素子と発光素子から出射された光の薄膜における反射光を検出する受光素子からなる光センサとを備え、被験者の脈拍により薄膜が変位することによって生じる反射光の強度変化を受光素子により検知し、強度変化の周期より脈拍数を測定することを特徴とする。
【００１０】
また、本発明は薄膜、光センサをバンドにより被験者の手首周りに配置する場合により有用である。
【００１１】
また、本発明は薄膜と光センサとの間に光を透過するゲル素材を配置し、ゲル素材および薄膜は手首の表面形状に沿って変形する場合により有用である。
【００１２】
また、本発明における薄膜は光が透過しない薄膜であることが好ましい。
【００１３】
また、本発明における薄膜はアルミ箔、銅箔またはその他の金属薄膜であることが好ましい。
【００１４】
また、本発明における薄膜は膜表面に反射膜を配置することが好ましい。
【００１５】
また本発明の脈拍数測定装置は、被験者の手首における脈波を検出し脈拍数を測定する脈拍数測定装置において、被験者の皮膚上に配置した導電体薄膜と圧電体薄膜からなる薄型圧力センサと、薄型圧力センサに光を出射する発光素子と発光素子から出射された光の薄型圧力センサにおける反射光を検出する受光素子からなる光センサとを備え、被験者の脈拍により薄型圧力センサが変位することによって生じる反射光の強度変化の信号と、薄型圧力センサにより検知された被験者の脈拍による圧脈波信号とを比較して、脈拍数を測定することを特徴とする。
【００１６】
また、本発明は、薄型圧力センサ、光センサをバンドにより被験者の手首周りに配置す
る場合により有用である。
【００１７】
また、本発明は薄型圧力センサと光センサとの間に光を透過するゲル素材を配置し、ゲル素材および薄型圧力センサは手首の表面形状に沿って変形する場合により有用である。
【００１８】
また、本発明における薄型圧力センサは圧電体薄膜からなる圧電体薄膜層の両面に導電体薄膜からなる電極を配置することが好ましい。
【００１９】
また、本発明における圧電体薄膜は窒化アルミニウム、チタン酸バリウム、チタン酸ジルコン酸鉛、またはポリフッ化ビニリデン系重合体からなることが好ましい。
【００２０】
また、本発明における光センサは受光素子を複数個有することが好ましい。
【００２１】
（作用）
被験者の手首における脈波を検出し脈拍数を測定する脈拍数測定装置において、被験者の皮膚上に薄膜を配置し、脈拍による薄膜の変位を発光素子と受光素子からなる光センサによって検出することで、この変位は脈拍と同期するものであるため、脈拍数を測定することができる。更にこのとき、ゲル素材を用いることで薄膜が手首の表面外形に沿って変形するため脈拍による変位をより大きくすることができる。この変位は血管内のヘモグロビン量を検出する場合と異なり、広い範囲で検出することが可能であるため、被験者の運動などにより位置がずれてしまった場合でも脈拍数の測定が可能である。また、薄膜の代わりに薄型圧電センサを用いることにより、光センサでの検出に加え、薄型圧電センサにより圧脈波の検出も可能となるため、両方の結果を比較することでより信頼性の高い測定が可能となる。
【発明の効果】
【００２２】
以上の説明のように、本発明の脈拍数測定装置においては、下記に記載する効果を有する。
【００２３】
被験者の手首における脈波を検出し脈拍数を測定する脈拍数測定装置において、被験者の皮膚上に比較的光の反射率の高い薄膜を配置し、発光素子により薄膜に光を出射し、その反射光を受光素子で検出することで、薄膜の変位を検出することができる。このときの変位は脈拍によるものであり脈拍と同期するものであるため、受光素子で検出した信号より脈拍数を測定することができる。更にこのとき、ゲル素材を用いることで薄膜が手首の表面外形に沿って変形するため脈拍による変位をより大きくすることができる。この変位は光センサにより血管内のヘモグロビン量を検出する場合と異なり、広い範囲で検出することが可能であるため、被験者の運動などにより位置がずれてしまった場合でも脈拍数の測定が可能である。
【００２４】
また、本発明においては薄膜の代わりに薄型圧電センサを用いることにより、光センサでの脈波の検出に加え、薄型圧電センサを手首に配置することにより圧脈波の検出も可能となる。このとき、２つの方法で脈拍数を測定し、両方の結果を比較することでより信頼性の高い測定が可能となる。
【００２５】
また、本発明においては脈拍数を測定する際、脈拍数測定装置が被験者の一方の手首周りにのみ備え付けた状態であるため、配線などにより被験者の活動を制限することがなく、また、備え付けに際しても通常の腕時計と変わらず、短時間で簡単に装着することが可能である。更に、本発明における脈拍数測定装置は、脈拍数を測定しない場合、腕時計として使用することが可能である。
【発明を実施するための最良の形態】
【００２６】
以下、図面を用いて本発明を利用した脈拍数測定装置の最適な実施形態を説明する。
【００２７】
（第一の実施形態）
図１は本発明の第一の実施形態を示す図である。図１においては脈拍数測定装置が被験者の手首に装着されている状態とする。また、図２は図１における光センサ１０１付近の断面図を示す。装置はバンド１０４によって手首周りに配置し、手首とバンド１０４間に手首側から順に薄膜１０２、ゲル素材１０３、光センサ１０１を配置する。ここで、薄膜１０２は光センサ１０１からの光に対しての反射率が高く、かつ、柔軟性の高いものである。薄膜１０２としてはアルミ箔、銅箔またはその他の金属薄膜や、柔軟性の高いフィルムに反射膜をコーティングしたものなどが考えられる。また、ゲル素材１０３は柔軟性が高く、また、光センサ１０１からの光に対して透過率の高いものである。光センサ１０１は発光素子２０１と受光素子２０２によって構成されるものであり、発光素子２０１から出射した光がある物体に入射して反射した光の内、受光素子２０２に入射した光の強度を検出するものである。また、演算・表示部１０５は光センサ１０１と信号線でつながっており、光センサ１０１からの信号が演算・表示部１０５に伝達される。本実施形態においては信号線をバンド内部に埋め込んでおり、装置表面には表れない状態である。演算・表示部１０５における表示領域には測定した脈拍数の他、脈拍のタイミングに同期した点滅の表示や、時刻、日付、曜日、タイマー時間などを表示させる。
【００２８】
図２において光センサ１０１内にはＬＥＤなどの発光素子２０１とフォトダイオードなどの受光素子２０２が配置してある。また、図２において薄膜１０２は被験者の手首２０３の皮膚上に配置する。薄膜１０２上には更にゲル素材１０３を配置し、更にゲル素材１０３上に光センサ１０１を配置する。ここで、薄膜１０２、ゲル素材１０３、光センサ１０１はいずれもバンド１０４により被験者の手首付近に配置する。このとき、バンド１０４によって光センサ１０１、ゲル素材１０３、薄膜１０２を手首２０３方向に軽く押し当てることによって、薄膜１０２が手首に密着する。薄膜１０２は例えば、アルミ箔や銅箔などの柔軟性の高いものであり、また、同じく柔軟性の高いゲル素材１０３によって押し当てられることで、手首２０３の表面に起伏がある場合でもその起伏に沿って変形し、手首２０３に密着するものである。ここで、ゲル素材１０３は柔軟性の高い素材であるため、押し当てることによって過度に血管を圧迫することがない上で薄膜１０２の位置ずれを起こしにくくするものである。
【００２９】
ここで、薄膜１０２は手首２０３に密着することにより、手首２０３における脈拍に同期して変位する。これは、薄膜１０２の手首と反対側からはゲル素材１０３により一定の圧力がかかっているのに対し、手首側からは、血液が血管、皮下組織、皮膚などを通じて薄膜１０２にかける圧力が脈拍に同期して変化するためである。このとき、薄膜１０２を被験者の手首２０３において橈骨動脈もしくは尺骨動脈が流れている辺りに配置することによって、薄膜１０２の変位はより大きいものとなる。
【００３０】
ここで、発光素子２０１により薄膜１０２の方向に光を出射することで、出射された光はゲル素材１０３を通過し、薄膜１０２に到達する。ここで、ゲル素材１０３は発光素子２０１から出射される光に対して透過率の高いものであり、光はその強度を減衰させずに薄膜１０２に到達する。薄膜１０２は反射率が高いものであり、薄膜１０２に入射した光はそのほとんどが透過せずに反射し、反射した光は再びゲル素材１０３を通過して、その一部が受光素子２０２に入射する。受光素子２０２は入射した光の強度を検出するもので光電変換することにより光強度を電圧信号として観察することができる。ここで、上述のように薄膜１０２は脈拍に同期してその位置が変位するため、その変位により薄膜１０２における光の反射方向などが変化し、受光素子２０２に入射する光強度が変化する。すなわち、図３に示す模式図において、例えば血管の収縮期においては（ａ）の状態で、血管
の拡張期には（ｂ）の状態であると仮定すると、血管の収縮期と拡張期では異なる経路の光が受光素子２０２に入射することになる。ここで、発光素子２０１は光に出射方向によって強度の異なるものであるため（ａ）の状態と（ｂ）の状態では受光素子２０２で検出される光強度は異なるものとなる。よって、受光素子２０２における光強度の信号を観察し、その周期を測定することにより脈拍数を測定することができる。実際には図４に示すように、光センサにより動脈中のヘモグロビン量を検出した場合の脈拍信号（Ａ）に対して、受光素子２０２においては例えば（Ｂ）のような信号が検出される。ここで信号（Ｂ）に関しては、薄膜１０２における光の反射方向の変化の度合いによってその波形は変化するものであるが、その周期に関しては脈拍と同じ周期となるため、脈拍数を求めることができるものである。
【００３１】
実際には、受光素子２０２で検出した信号を演算・表示部１０５に伝達し、演算・表示部１０５においてその信号周期より脈拍数を測定し、表示部に測定結果を表示することによって被験者が測定した脈拍数を認識することができる。また、表示のみでなく音を用いて被験者に脈拍数を認識させる手法も考えられる。
【００３２】
上述したように、本実施形態においてはゲル素材１０３を用いることにより、薄膜１０２の脈拍に同期した変位を大きくし、また、薄膜１０２の位置ずれを起こしにくくするものである。また、本実施形態における薄膜１０２は、ある程度の面積を持ったものであるため、運動などにより仮に薄膜１０２の位置が多少ずれてしまった場合でもその一部が橈骨動脈もしくは尺骨動脈における脈拍による変位をするため測定は可能である。
【００３３】
また、受光素子２０２は１つに限らず、発光素子１０２の周囲に複数の受光素子を配置することで、広い範囲で脈拍数の測定を行えるようになり、より激しい運動時にも信頼性の高い測定が可能となる。
【００３４】
また、上述の実施形態において、本装置は脈拍数測定を行わない場合、腕時計として使用することも可能である。
【００３５】
（第二の実施形態）
次に第二の実施形態について説明する。図５は本発明の第二の実施形態を示す図である。図５においては脈拍数測定装置が被験者の手首に装着されている状態とする。また、図６は図５における光センサ１０１付近の断面図を示す。装置はバンド１０４によって手首周りに配置し、手首とバンド１０４間に手首側から順に薄型圧力センサ５０１、ゲル素材１０３、光センサ１０１を配置する。また、演算・表示部１０５は光センサ１０１、薄型圧力センサ５０１と信号線でつながっており、光センサ１０１、薄型圧力センサ５０１からの信号が演算・表示部１０５に伝達される。本実施形態においては信号線をバンド内部に埋め込んでおり、装置表面には表れない状態である。演算・表示部１０５における表示領域には測定した脈拍数の他、脈拍のタイミングに同期した点滅の表示や、時刻、日付、曜日、タイマー時間などを表示させる。
【００３６】
ここで、薄型圧力センサ５０１は、図７に示すように圧電体薄膜層７０１と導電体薄膜層７０２によって構成され、圧電体薄膜層７０１の両面に導電体薄膜層７０２からなる電極を配置する。このとき、薄型圧力センサ５０１の薄膜面に圧力が加わるとその圧力は電荷信号となり、電極を通して検出することができるものである。これらの圧電体薄膜層７０１と導電体薄膜層７０２はいずれも柔軟性を持つものであり、圧電体薄膜層７０１としては例えば、チタン酸バリウム、チタン酸ジルコン酸鉛、窒化アルミニウムまたはポリフッ化ビニリデン系重合体の薄膜など、導電体薄膜層７０２としては例えばアルミニウム、チタン、金など多種の金属膜やその表面に反射膜をコーティングしたものが考えられる。また、ゲル素材１０３や光センサ１０１は第一の実施形態と同様で、ゲル素材１０３は柔
軟性が高く、かつ、光センサ１０１からの光に対して透過率の高いものであり、光センサ１０１は発光素子２０１と受光素子２０２によって構成されるものであり、発光素子２０１から出射した光が薄型圧電センサ５０１に入射して反射した光の内、受光素子２０２に入射した光の強度を検出するものである。発光素子２０１としてはＬＥＤなど、受光素子２０２としてはフォトダイオードなどが考えられる。
【００３７】
本実施形態において薄型圧力センサ５０１は被験者の手首２０３の皮膚上に配置し、ゲル素材１０３をその上に配置する。更に、ゲル素材１０３上に光センサ１０１を配置する。ここで、薄型圧力センサ５０１、ゲル素材１０３、光センサ１０１はいずれもバンド１０４により被験者の手首付近に配置する。このとき、バンド１０４によって光センサ１０１、ゲル素材１０３、薄型圧力センサ５０１を手首２０３方向に軽く押し当てることによって、薄型圧力センサ５０１が手首に密着する。薄型圧力センサ５０１は柔軟性が高いため、第一の実施形態における薄膜と同様に、同じく柔軟性の高いゲル素材１０３によって押し当てられることで、手首２０３の表面に起伏がある場合でもその起伏に沿って変形し、手首２０３に密着するものである。ここで、ゲル素材１０３は柔軟性の高い素材であるため、押し当てることによって過度に血管を圧迫することがない上で薄型圧力センサ５０１の位置ずれを起こしにくくするものである。
【００３８】
ここで、上述の通り薄型圧力センサ５０１は薄膜と同様に柔軟性の高いものであるので、第一の実施形態と同様に手首２０３に密着することにより、手首２０３における脈拍に同期して変位する。ここで、発光素子２０１により薄型圧力センサ５０１の方向に光を出射することで、出射された光はゲル素材１０３を通過し、薄型圧力センサ５０１に到達する。ここで、ゲル素材１０３は発光素子２０１から出射される光に対して透過率の高いものであり、光はその強度を減衰させずに薄型圧力センサ５０１に到達する。薄型圧力センサ５０１は反射率が高いものであり、薄型圧力センサ５０１に入射した光はそのほとんどが透過せずに反射し、反射した光は再びゲル素材１０３を通過して、その一部が受光素子２０２に入射する。受光素子２０２は入射した光の強度を検出するもので光電変換することにより光強度を電圧信号として観察することができる。ここで、上述のように薄型圧力センサ５０１は脈拍に同期してその位置が変位するため、第一の実施形態と同様、その変位により薄型圧力センサ５０１における光の反射方向などが変化し、受光素子２０２に入射する光強度が変化する。すなわち、受光素子２０２における光強度の信号を観察し、その周期を測定することにより脈拍数を測定することができる。
【００３９】
また、このとき、薄型圧力センサ５０１については手首と反対側からはゲル素材１０３により一定の圧力がかかっているのに対し、手首側からは、血液が血管、皮下組織、皮膚などを通じて薄膜１０２にかける圧力が脈拍に同期して変化するため、薄型圧力センサ５０１に加わる圧力も脈拍に同期して変化する。上述のように薄型圧力センサ５０１は、その薄膜面に圧力が加わるとその圧力を電荷信号として検出するものであるので、この電荷信号を用いることにより脈波による圧力、すなわち圧脈波を検出することができ、脈拍数を測定することができる。
【００４０】
ここで、受光素子２０２で検出した信号を演算・表示部１０５に伝達することで脈拍数を測定し、また、薄型圧力センサ５０１からの信号を演算・表示部１０５に伝達することでも脈拍数を測定する。ここで、これらの２種類の手法で測定した脈拍数を比較することでより信頼性の高い脈拍数測定が可能となる。
【００４１】
また、第一の実施形態と同様、本装置は脈拍数測定を行わない場合、腕時計として使用することも可能である。
【００４２】
また、上述の本実施形態においては演算・表示部１０５は通信手段を持っており、一定
期間の脈拍数データをパソコン、ＰＤＡや携帯電話などに送信することで、脈拍数の経時変化などを観察でき、また、脈拍数のデータとして保存することが可能である。
【図面の簡単な説明】
【００４３】
【図１】本発明の第一の実施形態における脈拍数測定装置の構成を示す図である。
【図２】本発明の第一の実施形態における脈拍数測定装置の断面図である。
【図３】本発明の第一の実施形態における光の経路を示す図である。
【図４】本発明の第一の実施形態における脈波信号と検出信号を示す図である。
【図５】本発明の第二の実施形態における脈拍数測定装置の構成を示す図である。
【図６】本発明の第二の実施形態における脈拍数測定装置の断面図である。
【図７】本発明の第二の実施形態における薄型圧力センサの構成を示す図である。
【符号の説明】
【００４４】
１０１  光センサ
１０２  薄膜
１０３  ゲル素材
１０４  バンド
１０５  演算・表示部
２０１  発光素子
２０２  受光素子
２０３  手首
５０１  薄型圧力センサ
７０１  圧電体薄膜層
７０２  導電体薄膜層
【図１】
2007075482.tif 000003
【図２】
2007075482.tif 000004
【図３】
2007075482.tif 000005
【図４】
2007075482.tif 000006
【図５】
2007075482.tif 000007
【図６】
2007075482.tif 000008
【図７】
2007075482.tif 000009